(57)【要約】  本発明のファスナーストリンガー(10,50)は、連続状のファスナーエレメント(20)が、モノフィラメント(30)の長さ方向に沿って連続し、モノフィラメント(30)の周面に配された複数の微細な凸条部(31)を有する。また、少なくとも上下脚部(23,24)に配された凸条部(31)は、同上下脚部(23,24) の延出方向に対してねじれてなり、上脚部(23)又は下脚部(24)にねじれて配された複数の凸条部(31)は、同じ方向を向いている。これにより、より多くの数の凸条部(31)をファスナーエレメント(20)の露出面に出現させ、これらの凸条部(31)で光を拡散反射させて、モノフィラメント(30)の艶を安定して低減又は消失させることができる。また、モノフィラメント(30)の強度が局部的に低下することや、スライダー(8)の操作性が低下することを防止できる。
2012063332.tif 000002
【特許請求の範囲】
【請求項１】
熱可塑性樹脂製のモノフィラメント(30)から成形された連続状のファスナーエレメント(20)が、ファスナーテープ(11,51) のテープ側縁部(11b,51b) に取着され、前記ファスナーエレメント(20)は、噛合頭部(22)と、前記噛合頭部(22)からテープ幅方向に延出する上下脚部(23,24) と、前記上下脚部(23,24) の一方を前記ファスナーテープ(11,51) の長さ方向に隣接する前記ファスナーエレメント(20)の前記上下脚部(23,24) の一方に連結する連結部(25)とを有するスライドファスナー用ファスナーストリンガー(10,50) であって、
前記ファスナーエレメント(20)は、前記モノフィラメント(30)の長さ方向に沿って連続し、前記モノフィラメント(30)の周面に配された複数の微細な凸条部(31)を有し、
少なくとも前記上下脚部(23,24) に配された前記凸条部(31)は、同上下脚部(23,24) の延出方向に対してねじれてなり、
前記上脚部(23)又は前記下脚部(24)にねじれて配された複数の前記凸条部(31)は、同じ方向を向いてなる、
ことを特徴とするファスナーストリンガー。
【請求項２】
前記凸条部(31)の突出高さが、２．５μｍ以上２００μｍ以下に設定されてなる請求項１記載のファスナーストリンガー。
【請求項３】
前記ファスナーエレメント(20)は、各凸条部(31)間に凹溝部(32)を有し、
前記モノフィラメント(30)の断面において、前記凹溝部(32)の底部を結んで形成される第１仮想円(33)の直径は、前記凸条部(31)の頂部を結んで形成される第２仮想円(34)の直径に対して、８０％以上の寸法を有してなる、
請求項１記載のファスナーストリンガー。
【請求項４】
前記モノフィラメント(30)の断面において、各凸条部(31)の所定位置間の円周方向における間隔は、２４μｍ以上２００μｍ以下に設定されてなる請求項１記載のファスナーストリンガー。
【請求項５】
前記凸条部(31)は、前記モノフィラメント(30)の周面に１２以上７２以下の個数で配されてなる請求項１記載のファスナーストリンガー。
【請求項６】
前記モノフィラメント(30)の断面において、前記凸条部(31)の凸状湾曲面における曲率は、前記凹溝部(32)の凹状湾曲面における曲率よりも大きく設定されてなる請求項３記載のファスナーストリンガー。
【請求項７】
前記モノフィラメント(30)の断面において、前記凸条部(31)の少なくとも１つは、頂部から一方側の前記凹溝部(32)までに配される一曲面部と、同頂部から他方側の前記凹溝部(32)までに配される他曲面部とが非対称的に構成されてなる請求項３記載のファスナーストリンガー。
【請求項８】
請求項１〜請求項７の何れかに記載のファスナーストリンガー(10,50) を左右一対で有することを特徴とするスライドファスナー。
【請求項９】
前記上下脚部(23,24) の延出方向に対する前記凸条部(31)のねじれ方向が、左右の前記ファスナーストリンガー(10,50) で相違してなる請求項８記載のスライドファスナー。
【請求項１０】
押出成形用ノズル(40)によりモノフィラメント(30)を押出成形し、前記モノフィラメント(30)から連続状のファスナーエレメント(20)を成形し、前記ファスナーエレメント(20)をファスナーテープ(11,51) のテープ側縁部(11b,51b) に縫製することによりファスナーストリンガー(10,50) を製造するファスナーストリンガーの製造方法であって、
前記モノフィラメント(30)の押出成形時に、前記押出成形用ノズル(40)により、前記モノフィラメント(30)の長さ方向に沿って連続し、互いに平行に配される複数の凸条部(31)と、各凸条部(31)間に配される複数の凹溝部(32)とを前記モノフィラメント(30)の周面に形成すること、
押出成形された前記モノフィラメント(30)に対し、前記モノフィラメント(30)の線径を小さくするとともに、前記凸条部(31)の突出高さが前記押出成形直後よりも小さくなるように延伸加工を行うこと、及び、
延伸された前記モノフィラメント(30)から連続状の前記ファスナーエレメント(20)を成形すること、
を含んでなることを特徴とするファスナーストリンガーの製造方法。
【発明の詳細な説明】
【技術分野】
【０００１】
本発明は、連続状のファスナーエレメントが取着されたファスナーストリンガーに関し、特に、ファスナーエレメントの表面における光沢や艶が抑えられ、従来とは異なる風合いを有するファスナーストリンガーに関する。
【背景技術】
【０００２】
一般に、スライドファスナーは、例えばコイル状又はジグザグ状に連続したファスナーエレメントをファスナーテープに取着することにより構成されている。この場合、コイル状又はジグザグ状に連続したファスナーエレメントは、熱可塑性の合成樹脂材料を押し出して線状のモノフィラメントを成形し、その後、得られたモノフィラメントの一部を一定間隔で押圧して噛合頭部を成形するとともに、同モノフィラメントをコイル状又はジグザグ状に成形することによって作製されている。【０００３】
また、このような連続状のファスナーエレメントを有するスライドファスナーにおいては、エレメント列に沿ってスライダーを円滑に摺動させたり、左右のエレメント列を円滑に噛合させたりするために、ファスナーエレメントの外周面に潤滑性物質を付与することが知られている。【０００４】
例えば特公平１−１９８８８号公報（特許文献１）には、図１３に示したように、ファスナーエレメント６１に潤滑性物質を付与するために、ファスナーエレメント６１の外周面に微細な溝又は凹部６２を設けることが開示されている。また、この特許文献１では、ファスナーエレメント６１の外周面に微細な溝又は凹部６２を形成する方法として、モノフィラメントを押し出す押出ノズルの吐出孔部の周囲に微細な凹凸を形成し、同ノズルからモノフィラメントを押し出すこと、微細粒子で構成された粗面によりモノフィラメントの外周面を擦ること、又は、微細な粒子を空気と共に吹き付ける処理（例えば、サンドブラスト処理）を行うことが例示されている。【０００５】
このように連続状のファスナーエレメント６１の外周面に微細な溝又は凹部６２を設けることにより、ファスナーエレメント６１に付与された潤滑性物質を溝又は凹部６２に埋め込んで、同潤滑性物質をファスナーエレメント６１にしっかりと付着させることができる。このため、同ファスナーエレメント６１を有するスライドファスナーに例えばクリーニングなどを行った際に、ファスナーエレメント６１に付与した潤滑性物質がそのクリーニングなどによって外力を受けても、その潤滑性物質がファスナーエレメント６１から剥離することを防止できる。従って、スライドファスナーにクリーニングを繰り返し施しても、潤滑性物質の効果を持続させることができ、スライダーの摺動やエレメント列の噛合を長期に渡って円滑に行うことができる。
【先行技術文献】
【特許文献】
【０００６】
【特許文献１】特公平１−１９８８８号公報
【発明の概要】
【発明が解決しようとする課題】
【０００７】
合成樹脂製のモノフィラメントからコイル状又はジグザグ状の連続したファスナーエレメントを成形した場合、得られたファスナーエレメントは、一般に光がモノフィラメントで正反射することによりモノフィラメント特有の艶を呈する。しかしながら、このような艶があるファスナーエレメントを有するスライドファスナーが、鞄、靴、衣類などのファスナー被着製品に取着される場合、そのファスナー被着製品のデザインによっては、ファスナーエレメントの艶が目立ち過ぎてしまい、そのファスナー被着製品のデザインにそぐわない場合があった。【０００８】
このようなファスナーエレメントの艶についての問題を解決するために、例えば前記特許文献１に記載されているような方法を用いて、ファスナーエレメント６１の外周面全体に多数の微細な凹部６２を形成することにより、特許文献１の目的とは異なるものの、ファスナーエレメント６１の艶を低減できる場合がある。【０００９】
しかしながら、このようにファスナーエレメント６１の外周面に微細な凹部６２を形成する場合、同じ大きさを有する複数の凹部６２をファスナーエレメント６１の外周面全体に均一に形成することが難しく、ファスナーエレメント６１に凹部６２の密度が低い部分や高い部分が局部的に形成される場合があった。【００１０】
凹部６２の密度が低い部分がファスナーエレメント６１に形成された場合、ファスナーエレメント６１の材質や色彩によっては、ファスナーエレメント６１の艶を十分に低減又は消失させることができず、ファスナー被着製品のデザインにスライドファスナーが釣り合わないことがあった。一方、凹部６２の密度が高い部分がファスナーエレメント６１に形成された場合、ファスナーエレメント６１の艶を消失させることはできるものの、ファスナーエレメント６１を構成するモノフィラメントの線径によっては、凹部６２が密集することによってモノフィラメントの強度を低下させてしまい、ファスナーエレメント６１の破損を生じさせる虞があった。【００１１】
更に、ファスナーエレメント６１に凹部６２の密度が低い部分や高い部分が形成される場合、例えばスライダーを摺動させてスライドファスナーを開閉するときに、スライダーとファスナーエレメント６１との間の抵抗がスライダーの摺動中に変化し、スライダーの操作に違和感を与えて、スライドファスナーの操作性に悪影響を及ぼすことがあった。【００１２】
本発明は上記従来の課題に鑑みてなされたものであって、その具体的な目的は、モノフィラメントの強度を保持しながら、モノフィラメント特有の艶を安定して低減又は消失させることができ、更に、スライドファスナーを構成したときにスライダーの操作に違和感を与えることのないファスナーストリンガー、及び、同ファスナーストリンガーを有するスライドファスナーを提供することにある。
【課題を解決するための手段】
【００１３】
上記目的を達成するために、本発明により提供されるスライドファスナー用ファスナーストリンガーは、基本的な構成として、熱可塑性樹脂製のモノフィラメントから成形された連続状のファスナーエレメントが、ファスナーテープのテープ側縁部に取着され、前記ファスナーエレメントは、噛合頭部と、前記噛合頭部からテープ幅方向に延出する上下脚部と、前記上下脚部の一方を前記ファスナーテープの長さ方向に隣接する前記ファスナーエレメントの前記上下脚部の一方に連結する連結部とを有するスライドファスナー用ファスナーストリンガーであって、前記ファスナーエレメントは、前記モノフィラメントの長さ方向に沿って連続し、前記モノフィラメントの周面に配された複数の微細な凸条部を有し、少なくとも前記上下脚部に配された前記凸条部は、同上下脚部の延出方向に対してねじれてなり、前記上脚部又は前記下脚部にねじれて配された複数の前記凸条部は、同じ方向を向いてなることを最も主要な特徴とするものである。【００１４】
本発明に係るファスナーストリンガーにおいて、前記凸条部の突出高さが、２．５μｍ以上２００μｍ以下に設定されていることが好ましい。
また、前記ファスナーエレメントは、各凸条部間に凹溝部を有し、前記モノフィラメントの断面において、前記凹溝部の底部を結んで形成される第１仮想円の直径は、前記凸条部の頂部を結んで形成される第２仮想円の直径に対して、８０％以上の寸法を有していることが好ましい。【００１５】
本発明に係るファスナーストリンガーでは、前記モノフィラメントの断面において、各凸条部の所定位置間の円周方向における間隔は、２４μｍ以上２００μｍ以下に設定されていることが好ましい。
また、前記凸条部は、前記モノフィラメントの周面に１２以上７２以下の個数で配されていることが好ましい。【００１６】
更に、本発明のファスナーストリンガーでは、前記モノフィラメントの断面において、前記凸条部の凸状湾曲面における曲率は、前記凹溝部の凹状湾曲面における曲率よりも大きく設定されていることが好ましい。【００１７】
更にまた、前記モノフィラメントの断面において、前記凸条部の少なくとも１つは、頂部から一方側の前記凹溝部までに配される一曲面部と、同頂部から他方側の前記凹溝部までに配される他曲面部とが非対称的に構成されていることが好ましい。【００１８】
また、本発明によれば、上述の構成を備えたファスナーストリンガーを左右一対で有するスライドファスナーが提供される。【００１９】
このような本発明のスライドファスナーにおいて、前記上下脚部の延出方向に対する前記凸条部のねじれ方向は、左右の前記ファスナーストリンガーで相違していることが好ましい。【００２０】
次に、本発明により提供されるファスナーストリンガーの製造方法は、押出成形用ノズルによりモノフィラメントを押出成形し、前記モノフィラメントから連続状のファスナーエレメントを成形し、前記ファスナーエレメントをファスナーテープのテープ側縁部に縫製することによりファスナーストリンガーを製造する製造方法であって、前記モノフィラメントの押出成形時に、前記押出成形用ノズルにより、前記モノフィラメントの長さ方向に沿って連続し、互いに平行に配される複数の凸条部と、各凸条部間に配される複数の凹部とを前記モノフィラメントの周面に形成すること、押出成形された前記モノフィラメントに対し、前記モノフィラメントの線径を小さくするとともに、前記凸条部の突出高さが前記押出成形直後よりも小さくなるように延伸加工を行うこと、及び、延伸された前記モノフィラメントから連続状の前記ファスナーエレメントを成形することを含んでなることを最も主要な特徴とするものである。
【発明の効果】
【００２１】
本発明に係るファスナーストリンガーは、モノフィラメントから成形された連続状のファスナーエレメントが、モノフィラメントの長さ方向に沿って連続し、モノフィラメントの周面に配された複数の微細な凸条部を有している。また、少なくとも上下脚部に配された凸条部は、同上下脚部の延出方向に対してねじれて（傾斜して）形成されており、その上脚部又は下脚部にねじれて形成された複数の凸条部は、互いに同じ方向を向いて配されている。この場合、上脚部又は下脚部に形成される複数の凸条部は、同じ方向を向くように互いに平行に配されていることが好ましい。なお、本発明において、ファスナーエレメントは連続状に成形されているため、ファスナーエレメントの曲線部分等では、凸条部を厳密に平行に配することはできない。従って、本発明において、凸条部が平行に配されているとは、主に上下脚部等の直線部分において、凸条部が略平行に配されていることを言う。【００２２】
このように連続状のファスナーエレメントにおいて、モノフィラメントの長さ方向に沿って連続して形成される複数の微細な凸条部が、モノフィラメントの周面に同じ方向に配されていることにより、モノフィラメントの周面全体に凸条部を均等に設けることができ、その凸条部で光を拡散反射（乱反射）させることにより、モノフィラメントの艶を周面全体で均一に低減又は消失させることができる。【００２３】
また、各凸条部が互いに同じ方向に（好ましくは平行に）配されていることにより、モノフィラメントの強度が、モノフィラメントの長さ方向において局部的に低下することも防止できる。更に、各凸条部がモノフィラメントの長さ方向に沿って連続して配されていることにより、例えばスライドファスナーを構成してスライダーを摺動操作したときに、スライダーとファスナーエレメントとの間の抵抗がスライダーの摺動中に変化することを防止できるため、スライドファスナーの操作性に影響を及ぼすこともない。【００２４】
特に、本発明のファスナーストリンガーでは、ファスナーエレメントの上下脚部に配された凸条部が、同上下脚部の延出方向に対してねじれている（傾斜している）。このように凸条部の配設方向が上下脚部の延出方向に対して傾斜するようにねじれていることにより、より多くの数の凸条部をファスナーエレメントの露出面に出現させることができる。【００２５】
このため、例えばモノフィラメントの延伸加工や、モノフィラメントをコイル形状又はジグザグ形状に成形する成形加工においてモノフィラメントの周面に配した凸条部が変形し、各凸条部の大きさや形状にバラツキが生じた場合でも、より多くの数の凸条部を露出面に出現させることにより、それぞれの上脚部や下脚部において艶消しの効果を均一化させて、ファスナーエレメントの全体に亘ってモノフィラメントの艶を安定して低減又は消失させることができる。【００２６】
このような本発明のファスナーストリンガーにおいて、前記凸条部の突出高さは、２．５μｍ以上２００μｍ以下に設定されている。各凸条部の突出高さが２．５μｍ以上に設定されることにより、それぞれの凸条部で光を安定して拡散反射させることができ、艶消しの効果を安定して得ることができる。また、各凸条部の突出高さが２００μｍ以下に設定されていることにより、スライドファスナーの使用に耐えられるようなファスナーエレメント（モノフィラメント）の強度を安定して確保することができ、また、ファスナーエレメントを見たときに、エレメントの表面がギザギザしている感じを与えることを抑えられる。【００２７】
この場合、ファスナーエレメントは、各凸条部間に凹溝部を有しており、モノフィラメントの断面において、凹溝部の底部を結んで形成される第１仮想円の直径は、凸条部の頂部を結んで形成される第２仮想円の直径に対して、８０％以上の寸法、好ましくは９０％以上の寸法を有している。【００２８】
これにより、スライドファスナーの使用に耐えられるようなファスナーエレメント（モノフィラメント）の強度を安定して確保することができる。なお、第２仮想円の直径に対する第１仮想円の直径の割合の上限は特に限定されないが、凸条部にて光を拡散反射させるために、第１仮想円の直径は、第２仮想円の直径に対して９９％以下の寸法を有していることが好ましい。【００２９】
ここで、前記第１及び第２仮想円は、上述のように凹溝部の底部及び凸条部の頂部をそれぞれ結んで形成される仮想上の円であり、第１及び第２仮想円は、全ての凹溝部の底部及び全ての凸条部の頂部を結んで形成されることが好ましいが、全ての凹溝部の底部又は全ての凸条部の頂部を結ぶような仮想上の円を形成できない場合には、全ての凹溝部の底部又は全ての凸条部の頂部との間隔が最小になるような近似的な仮想上の円を第１仮想円又は第２仮想円とすることができる。【００３０】
本発明に係るファスナーストリンガーでは、モノフィラメントの断面において、各凸条部の所定位置間の円周方向における間隔は、２４μｍ以上２００μｍ以下に設定されている。ここで、各凸条部の所定位置間の円周方向における間隔とは、例えば、各凸条部の頂部間の円周方向における間隔や、各凸条部の一方側の端部（裾部）間の円周方向における間隔を言い、所謂凸条部のピッチのことを指す。各凸条部間の間隔が２４μｍ以上２００μｍ以下に設定されていることにより、各凸条部にて光を効果的に拡散反射でき、モノフィラメントの艶をより確実に低減又は消失させることができる。【００３１】
また、凸条部は、モノフィラメントの周面に１２以上７２以下の個数で、好ましくは１２以上４８以下の個数で配されている。これにより、どの方向から光が照射されても、モノフィラメントの周面に配した凸条部にて光を拡散反射でき、モノフィラメントの艶をより安定して低減又は消失させることができる。【００３２】
更に、本発明のファスナーストリンガーでは、モノフィラメントの断面において、凸条部の凸状湾曲面における曲率は、凹溝部の凹状湾曲面における曲率よりも大きく設定されている。これにより、凸条部にて光をより安定して拡散反射できるとともに、凹溝部の深さを浅くできるため、モノフィラメントの強度を安定して確保することができる。【００３３】
更にまた、モノフィラメントの断面において、凸条部の少なくとも１つは、頂部から一方側の前記凹溝部までに配される一曲面部と、同頂部から他方側の前記凹溝部までに配される他曲面部とが非対称的に構成されている。これにより、凸条部の一曲面部と他曲面部とで光の反射が一律にならないようにでき、１つの凸条部にて光をより効果的に拡散反射させることができる。【００３４】
そして、上述の構成を備えたファスナーストリンガーを左右一対で有する本発明のスライドファスナーは、モノフィラメントの長さ方向に沿って連続する複数の凸条部が、モノフィラメントの周面に互いに平行に配されており、且つ、ファスナーエレメントの上下脚部に配された凸条部が、同上下脚部の延出方向に対してねじれている。【００３５】
このため、ファスナーエレメントに形成された各凸条部で光を拡散反射させることにより、モノフィラメントの艶を周面全体で均一に且つ安定して低減又は消失させることができる。従って、本発明のスライドファスナーは、例えばモノフィラメント特有の艶がデザインにそぐわないファスナー被着製品などに対して、好適に使用される。【００３６】
また、同スライドファスナーは、ファスナーエレメントに形成される複数の凸条部が互いに平行に、且つ、モノフィラメントの長さ方向に沿って連続して配されているため、モノフィラメントの強度がモノフィラメントの長さ方向において局部的に低下することを防止できるとともに、スライダーの摺動操作中にスライダーとファスナーエレメントとの間の抵抗が急に変化することも防止できる。このため、同スライドファスナーは、長期に渡って安定して使用できるとともに、操作性に優れている。【００３７】
更に、本発明のスライドファスナーでは、上下脚部の延出方向に対する凸条部のねじれ方向は、左右のファスナーストリンガーで相違している。これにより、左右のファスナーエレメントが噛合している状態で同ファスナーエレメントに光が照射されても、左右のファスナーエレメントに配された各凸条部にて異なる方向に拡散反射させることができるため、モノフィラメントの艶をより効果的に低減又は消失させることができる。【００３８】
次に、本発明に係るファスナーストリンガーの製造方法は、先ず、押出成形用ノズルによりモノフィラメントを押出成形する。このとき、押出成形用ノズルの吐出孔部の形状が例えば歯車状に形成されており、この押出成形用ノズルから熱可塑性樹脂を押出成形することにより、長さ方向に沿って連続し、互いに平行に配される複数の凸条部と、各凸条部間に配される複数の凹溝部とが周面に配されたモノフィラメントが得られる。【００３９】
続いて、押出成形されたモノフィラメントに対して延伸加工を行う。このとき、本発明の製造方法では、モノフィラメントの線径を小さくするとともに、凸条部の突出高さが押出成形直後よりも小さくなるようにモノフィラメントの延伸加工を行う。このような延伸加工が行われることにより、モノフィラメントの線径を所定の大きさに制御するとともに、モノフィラメントの強度を高めることができる。【００４０】
その後、延伸されたモノフィラメントから連続状のファスナーエレメントを成形する。このとき、連続状のファスナーエレメントは、例えばモノフィラメントを所定の間隔で押圧することにより膨大状の噛合頭部を形成し、その後、コイル状に捲き回すことによって成形されている。このようにして連続状のファスナーエレメントを成形することにより、上下脚部の凸条部を、同上下脚部の延出方向に対してねじれるように形成することができる。【００４１】
そして、このように成形された連続状のファスナーエレメントをファスナーテープのテープ側縁部に縫製することによって、上述した構成を有する本発明のファスナーストリンガーを安定して製造することができる。
【図面の簡単な説明】
【００４２】
【図１】図１は、本発明の実施形態に係るスライドファスナーを示す正面図である。
【図２】図２は、同スライドファスナーの要部を拡大して示す要部拡大図である。
【図３】図３は、同スライドファスナーに配されたファスナーエレメントの上脚部における断面図である。
【図４】図４は、同上脚部における断面を模式的に示した模式図である。
【図５】図５は、同ファスナーエレメントの上脚部における断面を拡大した拡大断面図である。
【図６】図６は、同上脚部の要部における断面を模式的に示した模式図である。
【図７】図７は、モノフィラメントを押出成形する押出成形用ノズルの吐出孔部の形状を模式的に説明する図である。
【図８】図８は、本発明の他の実施形態に係るスライドファスナーを示す断面図である。
【図９】図９は、モノフィラメントの周面に１２個の凸条部が配されたファスナーエレメントの上脚部における断面図である。
【図１０】図１０は、同ファスナーエレメントの上脚部における断面を拡大した拡大断面図である。
【図１１】図１１は、モノフィラメントの周面に３６個の凸条部が配されたファスナーエレメントの上脚部における断面図である。
【図１２】図１２は、同ファスナーエレメントの上脚部における断面を拡大した拡大断面図である。
【図１３】図１３は、従来のモノフィラメントの一部を示す側面図である。
【発明を実施するための形態】
【００４３】
以下、本発明の実施の形態について、図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００４４】
例えば、以下の実施形態において説明する連続状のファスナーエレメントは、モノフィラメントをコイル状に成形することによって形成されているが、本発明はこれに限定されず、連続状のファスナーエレメントが、モノフィラメントをジグザグ状に成形することによって形成されていても良い。
【００４５】
ここで、図１は、本実施形態に係るスライドファスナーを示す正面図であり、図２は、同スライドファスナーの要部を拡大して示す要部拡大図である。また、図３は、同スライドファスナーに配されたファスナーエレメントの上脚部における断面図であり、図４は、同上脚部における断面を模式的に示した模式図である。更に、図５は、同ファスナーエレメントの上脚部における断面を拡大した拡大断面図であり、図６は、同上脚部の要部における断面を模式的に示した模式図である。なお、図４及び図６においては、本発明の特徴を判り易くするために、断面をハッチングではなく、白地で表示している。
【００４６】
また、以下の説明において、前後方向とは、ファスナーテープの長さ方向を指し、スライダーが摺動する摺動方向と同じ方向である。また、左右方向とは、ファスナーテープのテープ幅方向を指すものとし、ファスナーテープのテープ面に平行で、且つ、テープ長さ方向に直交する方向を指すものとする。更に、上下方向とは、ファスナーテープのテープ面に直交するテープ表裏方向を指し、特に、ファスナーテープに対してファスナーエレメントが取着されている側の方向を上方とし、その反対側の方向を下方と規定する。
【００４７】
本実施形態に係るスライドファスナー１は、左右一対のファスナーストリンガー１０と、同ファスナーストリンガー１０のエレメント列２１の一端側に固着された上止具６と、同ファスナーストリンガー１０のエレメント列２１の他端側に固着された下止具７と、エレメント列２１に沿って摺動可能に取り付けられたスライダー８とを有しており、所謂スタンダードタイプのスライドファスナーとして構成されている。
【００４８】
同スライドファスナー１は、スライダー８を上止具６側に向けて摺動させることにより、左右のエレメント列２１を噛合させてスライドファスナー１を閉鎖し、また、スライダー８を下止具７側に向けて摺動させることにより、左右のエレメント列２１を分離させてスライドファスナー１を開くように構成されている。なお、このスライドファスナー１における上止具６、下止具７、及びスライダー８は、従来から一般的に用いられているものと同様に構成されている。
【００４９】
このようなスライドファスナー１を構成する左右のファスナーストリンガー１０は、細幅状に織成されたファスナーテープ１１と、ファスナーテープ１１のテープ側縁部１１ｂに沿って配されたエレメント列２１とを有しており、同エレメント列２１は、コイル状に連続したファスナーエレメント２０が、後述するように上下脚部２３，２４内に芯紐２７を挿通させた状態で、縫製糸２８の二重環縫いによりファスナーテープ１１に縫着されることによって構成されている。なお、本発明では、芯紐２７を設けずにファスナーエレメント２０をファスナーテープ１１に縫着することによってエレメント列２１を構成することも可能である。
【００５０】
本実施形態のファスナーテープ１１は、衣服や鞄などのファスナー被着製品に縫い付けられる部分となるテープ主体部１１ａと、テープ主体部１１ａの一側縁側に配され、ファスナーエレメント２０が取着されるテープ側縁部１１ｂ（エレメント取付部と呼ぶこともある）とを有している。
【００５１】
なお、本実施形態におけるファスナーテープ１１は織組織により構成されているが、本発明においてファスナーテープ１１の構成は特に限定されるものではなく、例えばファスナーテープ１１を形成する経糸及び緯糸の材質や太さは任意に設定することができ、また、ファスナーテープ１１を編組織により構成することも可能である。
【００５２】
本実施形態のファスナーエレメント２０は、連続したコイル形状を有しており、以下で詳述するように、ポリアミドやポリエステル等の熱可塑性樹脂からなるモノフィラメント３０を成形することによって構成されている。この場合、スライドファスナー１の用途に応じて、ファスナーエレメント２０に染料又は顔料を用いて所望の色彩を付することや、ファスナーエレメント２０に金属メッキを施すことが可能であり、また、ファスナーエレメント２０を透明に構成することもできる。
【００５３】
このファスナーエレメント２０は、前後方向（ファスナーテープ１１の長さ方向）に張り出すように形成された噛合頭部２２と、同噛合頭部２２からテープ内方に向けてテープ幅方向に延出した一対の上下脚部２３，２４と、上脚部２３又は下脚部２４の延端部と前後方向に隣接するファスナーエレメント２０の下脚部２４又は上脚部２３とを連結する連結部２５とを有している。
【００５４】
なお、例えばファスナーエレメントがジグザグ状に成形されている場合、そのジグザグ状のファスナーエレメントは、噛合頭部と、同噛合頭部からテープ内方に向けてテープ幅方向に延出した一対の上下脚部と、前後方向に隣接するファスナーエレメント間を連結する連結部とを有しており、各ファスナーエレメントの上脚部は前方又は後方に隣接するファスナーエレメントの上脚部と連結部を介して連結され、また、各ファスナーエレメントの下脚部は後方又は前方に隣接するファスナーエレメントの下脚部と連結部を介して連結されている。この場合、ファスナーエレメントの上脚部と下脚部の間には、ファスナーテープが位置する。
【００５５】
また、同ファスナーエレメント２０の周面には、ファスナーエレメント２０を構成するモノフィラメント３０の長さ方向に沿って連続するように突設された複数の凸条部３１と、各凸条部３１間に凹設された複数の凹溝部３２とが設けられており、これらの複数の凸条部３１及び凹溝部３２は互いに平行に配されている。
【００５６】
なお、本発明において、凸条部３１及び凹溝部３２の形状は特に限定されるものではないが、例えばモノフィラメント３０の断面を見たときに凸条部３１及び凹溝部３２の外周面が角張った形状を有している場合、凸条部３１がスライダー８との摩擦により削れ易くなることや、スライダー８がファスナーエレメント２０に引っ掛かり易くなってスライダー８の摺動性を低下させる虞があるため、凸条部３１及び凹溝部３２の外周面は湾曲面状に形成されていることが好ましい。
【００５７】
ここで、モノフィラメント３０の断面を見たときに、各凸条部３１において、モノフィラメント３０の中心位置から半径方向に最も離れている地点又は部分をその凸条部３１の頂部と規定する。即ち、凸条部３１の頂部は、凸条部３１の先端で、モノフィラメント３０の断面図において仮想的に描くことができる後述の第１仮想円３３又は第２仮想円３４の中心部からの寸法が最も大きい位置とすることができる。
【００５８】
一方、各凹溝部３２において、モノフィラメント３０の中心位置から半径方向に最も近い地点又は部分をその凹溝部３２の底部と規定する。この場合、隣り合う２つの凸条部３１の頂部を結ぶ線の中点と、モノフィラメント３０の断面図における第１仮想円３３又は第２仮想円３４の中心部とを通る半径方向の直線が、凹溝部３２と交わる位置を、凹溝部３２の底部と近似しても良い。
【００５９】
本実施形態において、ファスナーエレメント２０を構成するモノフィラメント３０の最大直径は０．７４ｍｍに設定されている。ここで、モノフィラメント３０の最大直径とは、後述するように、各凸条部３１の頂部を結んで形成される第２仮想円３４の直径を言う。
【００６０】
また、例えば図３〜図６に上脚部２３におけるモノフィラメント３０の断面を示したように、同モノフィラメント３０の周面には、１８個の凸条部３１が略等間隔で配されている。更に、各凸条部３１の頂部間の円周方向における間隔（以下、この間隔を、凸条部３１のピッチと記す）は、２４μｍ以上２００μｍ以下に設定されており、同モノフィラメント３０における凸条部３１のピッチの平均を求めたところ、そのピッチの平均は１２９μｍであった。
【００６１】
なお、凸条部３１は、後述するようにファスナーエレメント２０に成形する際にその形状が潰されて変形することがあるため、凸条部３１の形状によっては頂部の地点が明確に判断することができない場合もある。この場合、モノフィラメント３０の最大直径から円周を求めて、その円周を凸条部３１の個数で除することによって凸条部３１のピッチの平均を求めても良く、その凸条部３１のピッチの平均は２４μｍ以上２００μｍ以下であることが好ましい。
【００６２】
この場合、各凸条部３１にの突出高さは、２．５μｍ以上２００μｍ以下の範囲に設定されており、また、全ての凸条部３１における突出高さの平均は、５μｍ以上１００μｍ以下に設定されている。実際に、本実施形態のようにモノフィラメント３０の最大直径が０．７４ｍｍに設定されている場合は、各凸条部３１にの突出高さは５μｍ以上１５０μｍ以下の範囲（特に、５μｍ以上５０μｍ以下）に設定され、全ての凸条部３１における突出高さの平均は１０μｍであった。
【００６３】
このように各凸条部３１の突出高さが２．５μｍ以上であることにより、それぞれの凸条部３１及び凹溝部３２にて光を安定して拡散反射させることができる。一方、各凸条部３１の突出高さが２００μｍ以下であることにより、モノフィラメント３０の強度を保障する領域の面積（即ち、モノフィラメント３０において、凸条部３１及び凹溝部３２が設けられている円周領域よりも内側の領域の面積）を適切に確保して、ファスナーエレメント２０がスライドファスナー１の使用に耐え得る強度を安定して得ることができる。
【００６４】
また、各凸条部３１の突出高さが２００μｍ以下であれば、ファスナーエレメント２０を見たときに、エレメントの表面がギザギザ又はザラザラしている感じを与えることを抑えられる。更に、凸条部３１の突出高さを低くすることにより、スライドファスナー１において左右のファスナーエレメント２０を噛合させる際に、左右の噛合頭部２２を交互に円滑に噛み合わせられるとともに、所定のチェーン横引き強度を安定して得ることができる。
【００６５】
なお本発明において、凸条部３１の突出高さを測定するためには、モノフィラメント３０の断面において、先ず、隣り合う２つの凸条部３１の頂部を結ぶ第１仮想線を描き、両凸条部３１間に配される凹溝部３２において前記仮想線から最も離れている地点を基準点として決定する。次に、モノフィラメント３０の断面における中心位置を中心とする円であって当該基準点を通る円に対して、同基準点から接線を描くとともに、その接線に平行で、且つ、凸条部３１の頂部を通る第２仮想線を描く。そして、接線と第２仮想線との間の寸法を測定することにより、凸条部３１の突出高さが求められる。
【００６６】
また、上脚部２３及び下脚部２４におけるモノフィラメント３０の断面において、各凹溝部３２の底部を結んで形成される第１仮想円３３の直径は、各凸条部３１の頂部を結んで形成される第２仮想円３４の直径に対して、８０％以上の寸法、好ましくは９０％以上の寸法を有している。
【００６７】
特に本実施形態の場合、各凹溝部３２の底部を結んで形成される第１仮想円３３の直径は０．７２ｍｍであり、各凸条部３１の頂部を結んで形成される第２仮想円３４の直径（モノフィラメント３０の最大直径）は、０．７４ｍｍであるため、第２仮想円３４の直径に対する第１仮想円３３の直径の割合は、９７％に設定されている。
【００６８】
更に、図５及び図６に示したように、互いに隣接する凸条部３１の頂部を仮想的に結ぶことにより区画される各凹溝部３２の空間領域の面積３５は、互いに隣接する凹溝部３２の底部間を仮想的に結ぶことにより区画される各凸条部３１の面積３６（図６にてハッチングを施した部分の面積）よりも大きく設定されている。この場合、各凹溝部３２の空間領域の面積３５が各凸条部３１の面積３６よりも大きいことが好ましいが、所定数の凹溝部３２の空間領域の面積３５が所定数の凸条部３１の面積３６よりも大きくても良く、また、各凹溝部３２の空間領域の面積３５の平均が各凸条部３１の面積３６の平均よりも大きくても良い。
【００６９】
上述のように本実施形態のファスナーエレメント２０では、各凸条部３１の突出高さが所定の範囲の大きさに制御されており、また、第２仮想円３４の直径に対する第１仮想円３３の直径の割合も９７％と大きいため、モノフィラメント３０の周面に複数の凹溝部３２が形成されていても、スライドファスナー１としての使用に耐えられるようなモノフィラメント３０の強度を適切に確保することができる。また、同ファスナーエレメント２０では、各凸条部３１及び各凹溝部３２が互いに平行に配されているため、モノフィラメント３０の強度が、モノフィラメント３０の長さ方向において局部的に低下することも防止できる。
【００７０】
本実施形態のファスナーエレメント２０では、モノフィラメント３０の断面において凸条部３１及び凹溝部３２の形態を見たときに、全ての凸条部３１のうちの少なくとも１つの凸条部３１の凸状湾曲面における曲率が、同凸条部３１に隣接する凹溝部３２の凹状湾曲面における曲率よりも大きく設定されており、凹溝部３２の湾曲面の曲がり具合が、凸条部３１の湾曲面よりも緩やかになっている。このように湾曲面の曲率が凹溝部３２よりも増大した凸条部３１が、モノフィラメント３０の周面に配されていることにより、各凸条部３１で光を効果的に拡散反射させて、モノフィラメント３０の艶を低減又は消失させることができる。
【００７１】
なお、例えば後述するように凸条部３１が潰されて凸条部３１の形態が崩れている場合などでは、モノフィラメント３０の断面写真において、凸条部３１及び凹溝部３２の外周面について近似する円弧状の湾曲線を仮想的に描いて、その仮想の湾曲線に基づいて凸条部３１の凸状湾曲面における曲率や、凹溝部３２の凹状湾曲面における曲率を求めても良い。
【００７２】
特にこの場合、モノフィラメント３０の周面に配される少なくとも１つの凸条部３１は、モノフィラメント３０の断面において、頂部から円周方向の一方側の凹溝部３２までに配される一方の曲面部と、同頂部から円周方向の他方側の凹溝部３２までに配される他方の曲面部とが非対称的に構成されている。このようにモノフィラメント３０の断面を見たときに、凸条部３１が頂部を挟んで左右で非対称となるように形成されていることにより、当該凸条部３１で光を反射するときに、一方の曲面部と他方の曲面部とで反射の仕方を異ならせることができるため、光をより効果的に拡散反射させることができる。
【００７３】
更にまた、本実施形態のファスナーエレメント２０では、図２に示したように、上下脚部２３，２４に配された凸条部３１及び凹溝部３２の配設方向が、上下脚部２３，２４の延出方向であるテープ幅方向に対してねじれた（傾斜した）状態となっている。
【００７４】
特に本実施形態の場合、スライドファスナー１を正面側から見たときに（図１を参照）、上脚部２３上の凸条部３１及び凹溝部３２は、噛合頭部２２側から連結部２５に向けて、前方側（上止具６側）へ傾斜するようにねじれて配されている。この場合、上脚部２３上の凸条部３１及び凹溝部３２は、互いに平行で同じ方向に傾斜するようにねじれている。
【００７５】
下脚部２４は、スライドファスナー１を正面側から見たときに、上脚部２３の下側に位置するため見えないが、コイル状のファスナーエレメント２０を正面と反対側の背面側から見たときに、下脚部２４上の凸条部３１及び凹溝部３２は、噛合頭部２２側から連結部２５に向けて、前方側（上止具６側）へ傾斜するようにねじれて配されている。
【００７６】
なお本発明において、凸条部３１及び凹溝部３２のねじれる方向は、本実施例１の場合とは反対の向きであっても良い。つまり、ファスナーエレメント２０の上脚部２３を正面側から見たときに、噛合頭部２２側から連結部２５に向けて、後方側（下止具７側）へ傾斜するようにねじれて配されていても良い。
【００７７】
本実施形態の場合、下脚部２４上の凸条部３１及び凹溝部３２は、互いに平行で同じ方向に傾斜するようにねじれている。なお、上下脚部の凸条部３１及び凹溝部３２のねじれる方向は、ジグザグ状のファスナーエレメントでも同様である。
【００７８】
このため、左右のファスナーエレメント２０を噛合させてスライドファスナー１を閉じた場合、右側のファスナーエレメント２０の上下脚部２３，２４に配される凸条部３１及び凹溝部３２と、左側のファスナーエレメント２０の上下脚部２３，２４に配される凸条部３１及び凹溝部３２とは、互いに異なる方向にねじれた状態となる。
【００７９】
即ち、左右の各ファスナーエレメント２０をそれぞれファスナーテープ１１に縫い付けて左右のファスナーストリンガー１０を構成したときに、左側のファスナーストリンガー１０においてファスナーエレメント２０の凸条部３１及び凹溝部３２のねじれる方向と、右側のファスナーストリンガー１０においてファスナーエレメント２０の凸条部３１及び凹溝部３２のねじれる方向とは相違する。ここで、ねじれる方向の相違とは、左右一方のファスナーエレメント２０の上下脚部２３，２４上の凸条部３１又は凹溝部３２のねじれによる傾斜の延長線と、他方のファスナーエレメント２０の上下脚部２３，２４上の凸条部３１又は凹溝部３２のねじれによる傾斜の延長線とが、互いに角度をもって交差することである。なお、例えば凸条部３１又は凹溝部３２のねじれによる傾斜が円弧状である場合には、傾斜の延長線はその円弧の接線とすることができる。
【００８０】
このように上下脚部２３，２４の凸条部３１及び凹溝部３２が上下脚部２３，２４の延出方向に対してねじれて配されていることによって、例えば凸条部３１及び凹溝部３２が上下脚部２３，２４の延出方向に対して平行に配されている場合に比べて、より多くの数（種類）の凸条部３１をファスナーエレメント２０の露出面となる上面側に出現させることができる。
【００８１】
従って、モノフィラメント３０の周面に配した各凸条部３１の大きさや形状にバラツキが生じている場合でも、各ファスナーエレメント２０において、より多くの数（種類）の凸条部３１にて光を拡散反射させることにより艶消しの効果を均一化させることができるため、ファスナーエレメント２０の全体に亘ってモノフィラメント３０の艶を安定して低減又は消失させることができる。
【００８２】
次に、本実施形態に係るファスナーストリンガー１０を製造する方法について説明する。
先ず、ファスナーテープ１１とファスナーエレメント２０とを準備する。ファスナーテープ１１は、例えば織機を用いて経糸の開口内にキャリアーバーを往復運動させて緯糸を挿入することにより、所望の織組織で織成される。
【００８３】
また、ファスナーテープ１１とは別にファスナーエレメント２０を得るために、先ず、図７に示したような押出成形用ノズル４０を用いて、ポリアミドやポリエステル等の熱可塑性樹脂からなるモノフィラメント３０を押出成形する。このとき、押出成形用ノズル４０の吐出孔部４１の形状が、吐出孔部４１の周縁部に１８個の凸部４２を有する歯車状に形成されている。また、吐出孔部４１の凸部４２と各凸部４２間に形成される凹部４３とは対称的な形状を有し、凸部４２の凸状湾曲面における曲率と凹部４３の凹状湾曲面における曲率とは略同じ大きさに設定されている。
【００８４】
このため、当該押出成形用ノズル４０から熱可塑性樹脂を押出成形することにより、長さ方向に沿って連続し、互いに平行に配される複数の凸条部３１と、各凸条部３１間に配される複数の凹溝部３２とが周面全体に配されたモノフィラメント３０が得られる。なお、この押出成形によって得られるモノフィラメント３０の最大直径は、２．２ｍｍ程度である。
【００８５】
続いて、上述のように押出成形されたモノフィラメント３０に対して延伸加工を行う。この延伸加工を行うことにより、モノフィラメント３０の線径を小さくするとともに、高分子の配向結晶化によりモノフィラメント３０の強度を増大させることができる。また、上述の押出成形直後のモノフィラメント３０、及び延伸加工中のモノフィラメント３０は、同モノフィラメント３０の中心線に近くなるほど内圧を大きく受けて外側に向けて膨らみ易くなる。その結果、延伸加工後のモノフィラメント３０は、凹溝部３２の凹状湾曲面の曲率が小さく（曲率半径が大きく）なって、凹状湾曲面の曲がり具合が凸条部３１の凸状湾曲面よりも緩やかになるとともに、凸条部３１の突出高さを押出成形用ノズル４０の吐出孔部４１の形状に基づく寸法よりも小さくすることができる。
【００８６】
具体的には、本実施形態において延伸加工を行うことにより、モノフィラメント３０の最大直径を、延伸加工前の寸法（２．２ｍｍ）の１／３の大きさとなる０．７４ｍｍの大きさまで小さくできる。また、凸条部３１の突出高さが５μｍ以上１００μｍ以下の範囲になり、且つ、全ての凸条部３１の突出高さの平均が１０μｍとなるように凸条部３１の大きさを制御することができ、それによって、上述したように、モノフィラメント３０の断面において、各凹溝部３２の底部を結んで形成される第１仮想円３３の直径を、各凸条部３１の頂部を結んで形成される第２仮想円３４の直径の８０％以上の大きさに制御して、スライドファスナー１としての使用に耐え得るようなモノフィラメント３０の強度を安定して得ることができる。
【００８７】
その後、延伸されたモノフィラメント３０から連続状のファスナーエレメント２０を成形する。このとき、連続状のファスナーエレメント２０は、例えばモノフィラメント３０を所定の間隔で押圧することにより膨大状の噛合頭部２２を形成し、その後、同モノフィラメント３０をコイル状に捲き回すことによって成形されている。
【００８８】
このようにして連続状のファスナーエレメント２０を成形することにより、上下脚部２３，２４の凸条部３１の方向を、同上下脚部２３，２４の延出方向に対してねじることができる。なお、モノフィラメント３０から連続状のファスナーエレメント２０を成形する際に、モノフィラメント３０自体が様々な応力を受けるため、モノフィラメント３０の周面に配された凸条部３１及び凹溝部３２の中には、凸条部３１が潰されることによって塑性変形するものがある。
【００８９】
また、ファスナーエレメント２０の噛合頭部２２や連結部２５は、同ファスナーエレメント２０の上下脚部２３，２４に比べて、ファスナーエレメント成形時における塑性変形量が大きいため、噛合頭部２２や連結部２５に配される凸条部３１の突出高さ（凹溝部３２の深さ）は、上下脚部２３，２４よりも低くなる。これにより、ファスナーストリンガー１を構成したときに、スライダー８の摺動性を向上させることができる。
【００９０】
そして、このように成形された連続状のファスナーエレメント２０を、その後ファスナーテープ１１のテープ側縁部１１ｂに縫製することによって、上述した構成を有する本実施形態のファスナーストリンガー１０を安定して製造することができる。なお、本実施形態では、モノフィラメント３０から連続状のファスナーエレメント２０を成形しながら、その成形したファスナーエレメント２０を連続してファスナーテープ１１のテープ側縁部１１ｂに縫製することもでき、これによって、ファスナーストリンガー１０の製造を効率的に行うことができる。
【００９１】
このようにして製造された本実施形態に係るファスナーストリンガー１０では、モノフィラメント３０の長さ方向に沿って連続して形成される１８個の凸条部３１と、各凸条部３１間に形成される１８個の凹溝部３２とが、モノフィラメント３０の周面に所定の大きさで平行に配されている。これにより、凸条部３１及び凹溝部３２によって、ファスナーエレメント２０に照射された光の正反射を減らすと同時に、拡散反射を増加させることができるため、モノフィラメント３０の艶を安定して低減又は消失させることができる。
【００９２】
しかも、本実施形態のファスナーストリンガー１０では、ファスナーエレメント２０の上下脚部２３，２４に配された凸条部３１が、同上下脚部２３，２４の延出方向に対してねじれているため、上下脚部の延出方向に対して平行に配される場合より多くの数の凸条部３１及び凹溝部３２がファスナーエレメント２０の上面側に露出している。これにより、凸条部３１及び凹溝部３２による艶消しの効果を均一化させることができ、モノフィラメント３０の艶をファスナーエレメント２０の全体に亘って均一に低減又は消失させることができる。
【００９３】
特に、本実施形態では、例えば前記特許文献１に例示されているようなサンドブラスト処理を行わなくても、ファスナーエレメント２０の艶消しの効果が得られるため、ファスナーストリンガー１０の製造工程を簡略化でき、ファスナーストリンガー１０を安価に提供することが可能となる。
【００９４】
また、ファスナーエレメント２０の周面には、所定の大きさを有する凸条部３１及び凹溝部３２が全体的に配されているため、ファスナーエレメント２０の表面がギザギザ又はザラザラしている感じを与えることを抑えつつ、従来にはなかったファスナーエレメント２０の外観（見栄え）を得ることも可能となる。
【００９５】
更に、凸条部３１及び凹溝部３２がモノフィラメント３０の長さ方向に沿って連続し、且つ、互いに平行に配されていることにより、モノフィラメント３０の強度が、モノフィラメント３０の長さ方向において局部的に低下することを防止し、スライドファスナー１の使用に耐え得る強度を安定して確保できる。
【００９６】
更にまた、凸条部３１及び凹溝部３２の外周面が略湾曲面状に形成されているため、スライドファスナー１を構成してスライダー８を摺動操作したときに、スライダー８が凸条部３１及び凹溝部３２に引っ掛かってガタつくことを防止でき、スライダー８を円滑に摺動させることができる。更に、凸条部３１及び凹溝部３２がモノフィラメント３０の長さ方向に沿って連続して配されているため、スライダー８の摺動操作中にスライダー８とファスナーエレメント２０との間の抵抗が変化することも防止でき、スライドファスナー１の良好な操作性を安定して確保することができる。
【００９７】
そして、上述のような構成を備えたファスナーストリンガー１０を左右一対で有するスライドファスナー１は、ファスナーエレメント２０の全体に亘ってモノフィラメント３０の艶が低減又は消失している。特に、同スライドファスナー１では、上述したように、右側のファスナーエレメント２０の上下脚部２３，２４に配された凸条部３１及び凹溝部３２と、左側のファスナーエレメント２０の上下脚部２３，２４に配された凸条部３１及び凹溝部３２とが互いに異なる方向にねじれている。
【００９８】
これにより、左右のファスナーエレメント２０に配された凸条部３１及び凹溝部３２にて、それぞれ異なる方向に拡散反射させることができるため、モノフィラメント３０の艶をより効果的に低減又は消失させることができる。従って、同スライドファスナー１は、モノフィラメント３０特有の艶がデザイン的にそぐわないようなファスナー被着製品などに対して、好適に使用することができる。
【００９９】
なお、上述の実施形態においては、スタンダードタイプのスライドファスナー１、及び同スライドファスナー１に用いられるファスナーストリンガー１０について主に説明しているが、本発明において、スライドファスナー１の種類は特に限定されるものではなく、例えば隠しタイプのスライドファスナーに対しても本発明を好適に適用することができる。
【０１００】
ここで、図８を参照しながら、上述の実施形態とは異なる隠しタイプのスライドファスナー１ａについて簡単に説明する。この隠しタイプのスライドファスナー１ａは、左右一対のファスナーストリンガー５０と、従来から一般的に用いられている図示しない上止具、下止具、及びスライダーとを有している。
【０１０１】
前記ファスナーストリンガー５０は、略Ｕ字状に折り曲げられたファスナーテープ５１と、ファスナーテープ５１のテープ側縁部５１ｂに沿って配されたエレメント列２１ａとを有しており、同エレメント列２１ａは、コイル状に連続したファスナーエレメント２０が縫製糸２８によってファスナーテープ５１に縫着されることによって構成されている。この場合、ファスナーテープ５１は、左右のエレメント列２１ａを噛合させたときに、左右のファスナーテープ５１のテープ折曲部５１ｃ同士が接触するように構成されている。
【０１０２】
また、隠しタイプのスライドファスナー１ａにおいて、ファスナーエレメント２０は、前述の実施形態と同様に構成されており、噛合頭部２２、上下脚部２３，２４、及び連結部２５を有しているものの、ファスナーテープ５１に対して縫着されるファスナーエレメント２０の向きが前述の実施例１とは異なる。
【０１０３】
即ち、ファスナーエレメント２０の縫製を行う場合、ファスナーテープ５１が上述のように折り曲げられる前に、ファスナーエレメント２０の上下脚部２３，２４間に芯紐２７を挿通させるとともに、噛合頭部２２をファスナーテープ５１のテープ内方側に向けた状態で、上下脚部２３，２４をファスナーテープ５１のテープ側縁部５１ｂに縫い付ける。その後、ファスナーテープ５１をＵ字状に折り曲げて、更に、その折り曲げられた形態のファスナーテープ５１に熱セットが施されることによって、ファスナーエレメント２０の噛合頭部２２がファスナーテープ５１のテープ折曲部５１ｃから外方に突出した状態のファスナーストリンガー５０が得られる。
【０１０４】
このようにして得られたファスナーストリンガー５０を２つ一組で組み合わせることにより、左右のファスナーエレメント２０の噛合頭部２２同士を適切に噛み合わせることが可能な隠しタイプのスライドファスナー１ａを構成することができる。なお、この隠しタイプのスライドファスナー１ａは、例えばファスナーエレメント２０をスライドファスナー１ａの外面側（外部に露出する側）に配されるように、衣服や鞄などのファスナー被着製品に取り付けて使用することも可能である。
【０１０５】
このような隠しタイプのスライドファスナー１ａであっても、ファスナーエレメント２０の周面全体に、前述の実施形態に係るスタンダードタイプのスライドファスナー１と同様の凸条部３１及び凹溝部３２が配されているため、スタンダードタイプのスライドファスナー１にて説明した効果と同様の効果を得ることができる。
【０１０６】
また、前述の実施形態に係るスタンダードタイプのスライドファスナー１や、変形例に係る隠しタイプのスライドファスナー１ａにおいては、ファスナーエレメント２０を構成するモノフィラメント３０の線径（最大直径）が０．７４ｍｍであり、同モノフィラメント３０の周面に１８個の凸条部３１が配されている場合について説明している。しかし、本発明において、モノフィラメント３０の線径（最大直径）の大きさや、モノフィラメント３０の周面に配される凸条部３１及び凹溝部３２の個数は特に限定されるものではなく、任意に変更することが可能である。
【０１０７】
なお、モノフィラメント３０の周面に配される凸条部３１及び凹溝部３２の個数を設定する場合、モノフィラメント３０の線径（最大直径）の大きさによっても異なるが、例えばモノフィラメント３０の線径が０．３５ｍｍ以上２．３０ｍｍ以下の範囲内にある場合では、凸条部３１及び凹溝部３２によって光を効果的に拡散反射させてモノフィラメント３０の艶を確実に低減又は消失させるために、モノフィラメント３０の周面に配される凸条部３１及び凹溝部３２の数を１２個以上７２個以下に、特に１２個以上４８個以下に設定することが好ましい。
【０１０８】
例えばモノフィラメント３０の線径（最大直径）が前述の実施形態と同様に０．７４ｍｍに設定した場合、当該モノフィラメント３０の周面に配される凸条部３１及び凹溝部３２の数を、図９及び図１０に示したように１２個に設定することによっても、また、図１１及び図１２に示したように３６個に設定することによっても、モノフィラメント３０の強度を確保しながら、モノフィラメント３０の艶を効果的に低減又は消失させることができる。
【符号の説明】
【０１０９】
１，１ａ          スライドファスナー
６                上止具
７                下止具
８                スライダー
１０                ファスナーストリンガー
１１                ファスナーテープ
１１ａ              テープ主体部
１１ｂ              テープ側縁部
２０                ファスナーエレメント
２１，２１ａ        エレメント列
２２                噛合頭部
２３                上脚部
２４                下脚部
２５                連結部
２７                芯紐
２８                縫製糸
３０                モノフィラメント
３１                凸条部
３２                凹溝部
３３                第１仮想円
３４                第２仮想円
３５                空間領域の面積
３６                凸条部の面積
４０                押出成形用ノズル
４１                吐出孔部
４２                凸部
４３                凹部
５０                ファスナーストリンガー
５１                ファスナーテープ
５１ｂ              テープ側縁部
５１ｃ              テープ折曲部
【図１】
2012063332.tif 000003
【図２】
2012063332.tif 000004
【図４】
2012063332.tif 000005
【図５】
2012063332.tif 000006
【図６】
2012063332.tif 000007
【図７】
2012063332.tif 000008
【図８】
2012063332.tif 000009
【図１３】
2012063332.tif 000010
【図３】
2012063332.tif 000011
【図９】
2012063332.tif 000012
【図１０】
2012063332.tif 000013
【図１１】
2012063332.tif 000014
【図１２】
2012063332.tif 000015
【国際調査報告】
2012063332.tif 000016
2012063332.tif 000017
2012063332.tif 000018
2012063332.tif 000019